(57)【特許請求の範囲】
【請求項１】
１つの内部スペース、すなわちパック室(１２)を完全に充填する複数個の紙巻き煙草の直方体状の小パック(１０)のための薄いカードボードから作られる群体用パックであって、下記の(ａ)〜(i)を特徴とする群体用パック。
(ａ)底部壁(２３)の区域またはその直下において、底部壁(２３)の全面に亘って延在し、下方に向かって開く補助室(２６)が、群体用パックの外部寸法がパック室(１２)よりも肉眼的に判る程度に大きいように形成される
(ｂ)前部壁(１８)と後部壁(１９)が、補助室(２６)を含む群体用パックの高さ全体に亘って延在する
(ｃ)両端部壁(２９，３０)が、補助室(２６)を含む群体用パックの高さ全体に亘って延在する
(ｄ)両端部壁(２９，３０)が、前部壁(１８)に連結する端部タブ(３１ａ)と、後部壁(１９)に連結する外側タブ(３３)と、底部壁(２３)に連結する内側タブ(３２ａ)とによって形成される
(ｅ)展開されたブランクの内側タブ(３２ａ)は、底部壁(２３)の長手方向に、隣り合う端部タブ(３１ａ)および外側タブ(３３)まで正確に延出している
(ｆ)端部タブ(３１ａ)は、外側タブ(３３)と同じ大きさに作られており、端部壁(２９，３０)の全面に亘って延出している
(ｇ)両端部壁(２９，３０)が、補助室(２６)の区域において、端部タブ(３１ａ)と、外側タブ(３３)とによって形成される二重の層を備える
(ｈ)底部壁(２３)に接続する内側タブ(３２ａ)は、上方を向き、端部タブ(３１ａ)の内側と向き合って接する
(ｉ)両端部壁(２９，３０)が、パック室(１２)の区域において、端部タブ(３１ａ)と、外側タブ(３３)と、内側タブ(３２ａ)とによって形成される３重の層を備える
【請求項２】
カバータブ(２２)と端部タブ(２１)は、頂部壁(２０)を形成するために設けられており、前記カバータブ(２２)は、前記頂部壁(２０)の全幅と全長に亘って延在し、前部壁(１８)に連結する点を特徴とする請求項１記載の群体用パック。
【発明の詳細な説明】
【０００１】
【産業上の利用分野】
この発明は、内部スペース、すなわち、パック室を完全に充填する複数個の立方体状のパック、特に、複数個の紙巻き煙草のパックのための、薄いカードボードから作られる群体用パックに関する。
【０００２】
【従来の技術】
複数個の紙巻き煙草のパックの群体用パック−いわゆる紙巻き煙草のパックの包装体(cigarette sticks)−は、様々なものが知られている。これらの群体用パックは、しばしば、薄いカードボードから、作られる。
【０００３】
群体用パックの大きさは、紙巻き煙草のパックの大きさによって国際的に決まっている。しかしながら、パック、特定していえば特に、小型の、すなわち従来の紙巻き煙草のパックに較べて高さの小さなヒンジ蓋付きパックが、最近発達した。小型のパック（ヒンジ蓋付きパック）は、短い紙巻き煙草または同様な棒状の愛煙家向け物品を収容するように機能する。これらのパックの高さは、従来の紙巻き煙草のパックの最小の高さが約80mmであるのにひきかえ、約60mmである。このタイプの新パックにおいては、残るディメンジョン（幅と深さ）は、従来のヒンジ蓋付きパックのそれと一致する。
【０００４】
【発明が解決しようとする課題】
この発明は、群体パックを、もっとディメンジョンの小さい小型のパック（紙巻き煙草）に適合させることに関する。小型パックの群の取扱いは、従来サイズのパックの群の取扱いと同程度に可能であるべきである。
【０００５】
【課題を解決するための手段】
この発明の目的は、複数個の小型のパック用の群体パックを提案することにあり、この群体パックは、収容される複数個の小型パックの容量の合計よりも（肉眼で見てわかる程度に）大きな外側寸法を有する。
【０００６】
この目的を達成するため、この発明の群体用パックは、底部壁の全面に亘って延在する下向きに開口する補助室が、群体パックの外側寸法がパックの収容室よりも大きいことが目で見て明らかなように、底部壁の区域またはその直下に設けられる点に、特徴を有する。
【０００７】
【作用】
群体パックのこの発明による設計は、先ず、寸法、特に、その高さが、従来の紙巻き煙草のパックの高さよりも、目で見て認識できる程度に小さい複数個の紙巻き煙草を収容することに主眼が置かれる。この発明の群体用パックによって、複数個のこれらの小型の紙巻き煙草のパックまたはこれらのグループが、完全に包装され、パック室内でギャップを生じることがない。しかしながら、この群体用パックは、従来の紙巻き煙草の群体用パックよりも大きい寸法を有する。これらの規格化された外側の大きさは、様々な理由から必要なのである。寸法が規格化されていると、これら群体用パックの取扱いすなわち移送、貯留が統一的に行われる。さらにまた、複数個の小型パックに標識、特に収入印紙を付与するという付随的な作業を行うためにしばしば使用される装置は、これら群体用パックの規格化された寸法を対象として設計される。底部壁の直下に設ける補助室の設計は、群体用パックを製造するためのブランクの形状を単純化することができる。それにもかかわらず、この目的に適うような多くのブランクの設計が可能である。
【０００８】
この発明の群体用パックは、高さ全体に亘り連続する両側壁と、自由な下方突出端部に対して内側へ折り返された底部壁とを備える一枚のブランクから製造される。取扱いの容易なパックの蓋が、底部壁の反対側に形成される。
【０００９】
発明の細部は、従属請求項から把握される。発明の模範実施例を添付図面を参照しつつ、以下に説明する。
【００１０】
【実施例】
添付図面は、薄いカードボードから作られる一枚のブランクから製造される群体用パックの細部を示す。細長い直方体の群体用パックは、複数個の小型のパックすなわち複数個の紙巻き煙草のパック10を収容する機能を果たす。群体用パックの全内容物は、10個の紙巻き煙草のパック10からなるパックのグループ11である。現実施例では、これらは、群体用パックの内部空間、すなわちパック収容室12内に２つの列をなして収容される。複数個の小型のパックすなわち紙巻き煙草のパック10は、やはり直方体のデザインを有し、好ましくは、薄いカードボード製のヒンジ蓋付きパックである。個々の紙巻き煙草のパック10は、互いに向き合う２つの大きな面、すなわち、前面13と後面14によって規定される。パックグループ11の紙巻き煙草のパックは、これらの両面で互いに接する。直立する幅の狭い面15も同様に互いに隣接する。上部と底部において、紙巻き煙草のパック10は、小さい端面16と底面17とを形成している。
【００１１】
群体用パックは、面積の大きい細長い両壁、すなわち前部壁18および後部壁19を形成する。これら両壁は、群体用パックの長さの全体と高さの全体に亘って延在する。群体用パックの頂部には、内側の端部タブ21と、頂部壁20の長さと幅の全体に亘り延在するカバータブ22とで構成される頂部壁20が形成される。端部タブ21は、後部壁19の自由な側と連結し、カバータブ22は、群体用パックの内部で前記端部タブ21と向き合って、前部壁18の自由な側と連結する。端部タブ21とカバータブ22は、開閉を容易に反復できる蓋を群体用パックに形成する。蓋をこのように取扱うことは、付帯的に、標識、特に収入印紙を複数個の紙巻き煙草のパック10に付与する場合に重要である。この場合は、カバータブ22と端部タブ21とを持ち上げて、群体用パックが再度開かれる。前記両タブと向き合う紙巻き煙草のパック10の端面16が、それによって露出し、特殊な装置の内部で、標識が付与される。群体用パックは、その後で再び閉じられ、ここで、端部タブ21とカバータブ22とは、図１、２に示す閉鎖位置の状態に至り、両タブは、互いに接着されるか、または別の手段で閉鎖位置に固定される。
【００１２】
パック収容室12の容量は、パックグループ11の容積とほぼ等しい。パック収容室12は、その底部または頂部壁20と向かい合う側で、底部壁23によって規定される。この底部壁は、群体用パックの下方の輪郭または前部壁18および後部壁19の下方突出端部24,25 から、折り返される。底部壁23と突出端部24,25 の間の距離は、従来タイプの紙巻き煙草パックの長さまたは高さよりも小さい。群体用パックまたは前部壁18、後部壁19の全高は、例えば、約80mmであり、一方紙巻き煙草のパック10の全高は約60mmである。底部壁23は、したがって、突出端部24,25 に対して約20mm折り返されている。
【００１３】
底部壁23の直下または紙巻き煙草のパック10から離れたところに、中空の空間すなわち補助室26が形成される。現模範実施例においては、これが、底部すなわち底部壁23と向き合う側に開口しており、底部壁23の全面に亘って延在する。
【００１４】
この補助室26は、その全体が、二重壁構造をなす端部または台座によって規定される。長手方向両側では、前部壁18, 後部壁19により外側に形成される。これらは、連結ストリップ27,28 を介して、底部壁23と連結される。連結ストリップ27,28 は、下方突出端部24,25 から底部壁23まで延在する。これらは、例えば接着により、前部壁18および後部壁19とそれぞれ連結されることができる。
【００１５】
群体用パックの端部壁29,30 は、それぞれ、複数の折り曲げタブからなる。前部壁18と連結された台形端部タブ31が設けられている。さらに、底部壁23の区域内には、同様な台形内側タブ32が、そして最後に後部壁19に外側タブ33が設けられている。外側タブ33は、外側においてその全面が端部壁29,30 となるような大きさとし、他方、端部タブ31および内側タブ32は、互いに接触することなくパックの内側で向かい合い、端部壁29,30 よりも小さい面をなすような大きさとする。
【００１６】
完成時の群体用パックいおいては、端部タブ31が、端部壁29,30 の内側と、すなわち外側タブ33と、例えば接着によって連結される。端部タブ31は、群体用パックまたは端部壁29,30 の高さ全体に亘って、すなわち補助室26の区域を含んで延在する。この場合、端部タブ31の三角形のガセット34が、外側タブ33と一緒に、補助室26の二重壁構造の区域を形成する。
【００１７】
内側タブ32は、特定していえば、ガセット34と隣接して、補助室26の区域にのみ存在する。内側タブ32もまた、外側タブ33とともに、端部壁29,30 の区域において、補助室26の二重壁構造の区域を形成する。前記の各折り曲げタブは、接着によって互いに好都合に連結される。
【００１８】
一方において、端部タブ31を区画するための斜め方向を向く突出端部35,36 そして他方では、内側タブ32が、完成時のパックいおいて、ともに斜め方向を向くそれぞれの突出端部35,36 が発散する間隙37を画定するように、異なる傾きをなして作られる。端部タブ31と内側タブ32をこのような類似設計とすることによって、寸法に過剰な余裕を生じることがないので、前記折り曲げタブが重なることを防止する。図３のブランクの外方にある、斜め方向を向く突出端部36の傾き角は、例えば40度である。斜め方向を向く突出端部35の角度的配置は、これとほぼ一致する。
【００１９】
別の模範実施例が、図４−８に開示されている。各部分が既述の模範実施例中におけるのと同じ設計と機能を有する限り、これらは同一の符号によって示される。図８のブランクは、端部タブと内側タブの設計だけが図３のブランクと相違している。これらは、それぞれ31a,32a として示されている。両端部タブ31a は、両外側タブ33と同じ大きさに設定されており、それぞれ、端部壁29,30 の全面に延在する。両内側タブ32a は、底部壁23の長手方向に、隣り合う両端部タブ31a と両外側タブ33まで正確に延在する。図８のブランクの外形は、全体として捉えれば、実質的に長方形である。したがって、シート材からブランクを切り離すことが特に簡単である。発生する残滓量は極めて少ない。タブ31a,32a,33が長方形をなしているので、対応する打ち抜き具の設計を単純化することができる。
【００２０】
折り曲げが完了時の群体用パックにおいては、上を向く内側タブ32a が、内側で端部タブ31a に接する。外側タブ33は、したがって、外側ですなわち端部タブ31a の他の側で接することになる。折り曲げが完了時の群体用パックにおいては、内側タブ32a は、頂部壁20まで完全に及ぶ訳ではない。両端部壁29,30 は、こうして、内側タブ32a の区域では３層に、隣接区域では２層に形成される。特に、端部壁29,30 は、連結ストリップ27,28 の中間ではたった２層である。タブ31a,32a,33の位置と方向は、図６、７から明らかである。補助室26を規定する壁は、単に２層である。ここでも、図１−３の模範実施例におけると同様に、タブ31a,32a,33が、好ましくは互いに接着される。
【００２１】
【発明の効果】
この発明によって、群体パックを、もっとディメンジョンの小さい小型のパック（紙巻き煙草）に適合させることができるとともに、小型パックの群の取扱いが、従来サイズのパックの群の取扱いと同程度であるという効果がもたらされる。
【図面の簡単な説明】
【図１】この発明の群体用パックの斜視図。
【図２】図１の群体用パックの拡大断面図。
【図３】図１、図２の群体用パックを製造するためのブランク。
【図４】図１のパックと類似するが、別のブランクから製造される群体用パック。
【図５】図４のパックの群体用パックの、図２と類似した、拡大断面図。
【図６】図５の群体用パックのVI-VI 線に沿う部分断面図。
【図７】図５の群体用パックのVII-VII 線に沿う部分断面図。
【図８】図４−図７に示す１つの群体用パックを製造するためのブランク。
【符号の説明】
１０…小型の紙巻き煙草パック，１２…パック室，１８…前部壁，１９…後部壁，２３…底部壁，２４，２５…下方突出端部，２６…補助室，２７、２８…連結ストリップ，２９、３０…端部壁，３１…端部タブ，３２…内側タブ，３３…外側タブ，３４…ガセット，３５、３６…斜め方向を向く突出端部，３７…発散する間隙。
【図１】
0003786978.tif 000002
【図２】
0003786978.tif 000003
【図３】
0003786978.tif 000004
【図４】
0003786978.tif 000005
【図５】
0003786978.tif 000006
【図６】
0003786978.tif 000007
【図７】
0003786978.tif 000008
【図８】
0003786978.tif 000009